(57)【要約】【課題】  スロットを覆うカバーの開閉時における動作を円滑に行い、更には装置の美観を低下させることのないカバー取付装置を提供する。【解決手段】  メモリカードを挿入するカードスロット１４を覆うカバー２１は、カードスロット１４近傍においてスライド可能に設けられるスライド部材２２に、シャフト２３をを介して回動自在に取り付けられる。スライド部材２２のスライド動作に伴って、カバー２１がシャフト２３とともにカードスロット１４（上部ハウジング７）に対して近接離間動作するので、カバー２１は安定してスライド動作することができるとともに、その回動軸線が傾かないので、常に安定して回動動作を行うことができる。【選択図】図５
2005212207.tif 000002
【特許請求の範囲】
【請求項１】
電子機器本体に設けられた開口部を覆うカバーを前記電子機器本体に取り付けるカバー取付装置であって、
前記開口部近傍においてスライド可能に設けられるスライド部材を有し、
前記カバーが前記スライド部材に回動軸を介して回動自在に取り付けられるとともに、前記スライド部材のスライド動作に伴って、前記カバーが前記回動軸とともに前記電子機器本体に対して近接離間動作する様に構成されている、
ことを特徴とするカバー取付装置。
【請求項２】
請求項１において、前記カバーが、前記スライド部材に設けられた付勢手段によって前記開口部を開く方向に付勢された状態に取り付けられるとともに、前記スライド部材が前記電子機器本体に押し込まれた状態では回動動作を規制する規制手段によって前記開口部を覆う姿勢が保持され、前記スライド部材が前記電子機器本体から引き出された状態では前記規制手段による回動規制が解除されて前記付勢手段の付勢力により前記開口部を開く姿勢となる、
ことを特徴とするカバー取付装置。
【請求項３】
請求項１または２において、前記開口部を覆う姿勢にある前記カバーに、前記スライド部材のスライド方向と交差する方向に突出する凸部が形成されている、
ことを特徴とするカバー取付装置。
【請求項４】
請求項２または３において、前記カバーが前記開口部を開く方向に回動した際に、前記カバーに形成された回動規制部が前記スライド部材に当接することで前記カバーの回動が停止する様に構成されている、
ことを特徴とするカバー取付装置。
【請求項５】
請求項４において、前記回動規制部が、請求項３に記載された前記凸部である、
ことを特徴とするカバー取付装置。
【請求項６】
請求項３から５のいずれか１項において、前記凸部と前記スライド部材の、前記スライド部材のスライド方向と直交する方向における位置関係が、略一致する様に配置されている、
ことを特徴とするカバー取付装置。
【請求項７】
記憶媒体を差し込む開口部と、当該開口部を覆うカバーとを有する、被記録媒体に記録を行う記録装置であって、前記カバーが、請求項１から６のいずれか１項に記載された前記カバー取付装置によって取り付けられている、
ことを特徴とする記録装置。
【請求項８】
記憶媒体を差し込む開口部と、当該開口部を覆うカバーと、を有する、被噴射媒体に液体噴射を行う液体噴射装置であって、
前記開口部近傍においてスライド可能に設けられるスライド部材を有し、
前記カバーが前記スライド部材に回動軸を介して回動自在に取り付けられるとともに、前記スライド部材のスライド動作に伴って、前記カバーが前記回動軸とともに前記電子機器本体に対して近接離間動作する様に構成されている、
ことを特徴とする液体噴射装置。
【発明の詳細な説明】
【技術分野】
【０００１】
本発明は、電子機器本体に設けられた開口部を覆うカバーを前記電子機器本体に取り付けるカバー取付装置およびこれを備えた記録装置に関する。また、本発明は、液体噴射装置に関する。  
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００２】
ファクシミリ装置やプリンタ等に代表される記録装置（電子機器）の１つとしてインクジェットプリンタがある。インクジェットプリンタには、専ら記録（印刷）データを送信するパーソナルコンピュータ等と接続され、パーソナルコンピュータから受信した記録データに従って記録動作を実行するものがある一方で、近年のデジタルスチルカメラの普及に伴い、パーソナルコンピュータ等との接続を必要とせず、デジタルスチルカメラに着脱自在に装着されるメモリカードをそのまま装着可能なスロット（開口部）を備え、そしてインクジェットプリンタ単独で記録動作を実行可能なものが出回っている。
【０００３】
一方で、この様なスロットは、メモリカード保護や塵埃等の入り込み防止の為、開閉自在なカバーで覆うのが望ましい。この様なカバーは、装置本体に対して回動可能に設けられ、或いはスライド動作する様に設けられて、スロットを覆う状態と開く状態とを切り換える様になっている。ここで、カバーは装置の外観を構成することから、装置本体に対してカバーを回動可能に設ける際には、カバーの回動軸部分に形成される、カバーと装置本体との間の隙間を極力小さくするのが望ましい。しかし一方で前記隙間を小さくすると、カバーの回動可能な範囲（角度）が小さくなり、メモリカードを挿脱する間口が小さくなってしまうという問題がある。この問題を解決する装置として、カバーを装置本体に対してスライド可能に設けるとともに回動可能に構成し、カバーを一定量スライドさせた後に回動させて、スロットを開放する様構成された装置が既に公知となっている（例えば、特許文献１参照）。
【０００４】
【特許文献１】特開２００３−２１８５４９号公報
【発明の開示】
【発明が解決しようとする課題】
【０００５】
しかし、上述した特許文献１記載のカバー装置においては、カバーの両側にスライド方向に延びる長穴を形成し、当該長穴に回動軸（シャフト）を挿通させることでカバーを回動させる様に構成している。即ち、回動軸に対してカバーを相対的にスライドさせる為、カバーをスライドさせる際にスライド方向に安定して真っ直ぐスライドさせることができない場合があり、更にその結果、カバーの回動軸線が傾いてカバーを姿勢良く回動させることができない場合も生じる。加えて、上記特許文献１記載のカバー装置においては、カバーは開いた状態においてカバーの表側が装置本体の一部に当接することでその回動範囲が規制される様になっていることから、前記当接部においては擦れ傷が発生し易く、外観上好ましくない結果を招く。
【０００６】
そこで本発明はこの様な状況に鑑みなされたものであり、その課題は、スロットを覆うカバーの開閉時における動作をより一層円滑に行うことにあり、更には装置の美観を低下させることのないカバー取付装置を提供することにある。
【課題を解決するための手段】
【０００７】
上記課題を解決する為に、本発明の第１の態様は、電子機器本体に設けられた開口部を覆うカバーを前記電子機器本体に取り付けるカバー取付装置であって、前記開口部近傍においてスライド可能に設けられるスライド部材を有し、前記カバーが前記スライド部材に回動軸を介して回動自在に取り付けられるとともに、前記スライド部材のスライド動作に伴って、前記カバーが前記回動軸とともに前記電子機器本体に対して近接離間動作する様に構成されていることを特徴とする。
【０００８】
上記態様によれば、電子機器本体に設けられた開口部を覆うカバーは、前記開口部近傍においてスライド可能に設けられるスライド部材に回動軸を介して取り付けられ、前記スライド部材のスライド動作に伴って前記回動軸とともに前記電子機器本体に対して近接離間動作する様に構成されているので、前記スライド部材によって前記カバーは安定して前記電子機器本体（前記開口部）から離間することができ、そしてその結果前記カバーの回動軸線が傾き難く、更に前記回動軸も常に前記カバーに対して固定されていることから、前記カバーを常に姿勢良く回動させることが可能となる。
【０００９】
本発明の第２の態様は、上記第１の態様において、前記カバーが、前記スライド部材に設けられた付勢手段によって前記開口部を開く方向に付勢された状態に取り付けられるとともに、前記スライド部材が前記電子機器本体に押し込まれた状態では回動動作を規制する規制手段によって前記開口部を覆う姿勢が保持され、前記スライド部材が前記電子機器本体から引き出された状態では前記規制手段による回動規制が解除されて前記付勢手段の付勢力により前記開口部を開く姿勢となることを特徴とする。
【００１０】
上記態様によれば、前記カバーは付勢手段によって前記開口部を開く方向に付勢された状態にあるとともに、規制手段によって前記スライド部材が押し込まれた状態ではその回動動作が規制され、そして前記スライド部材が引き出されると回動規制が解除されて、前記付勢手段の付勢力によって自動的に前記開口部を開く姿勢となることから、ユーザの操作性が向上する。
【００１１】
本発明の第３の態様は、上記第１のまたは第２の態様において、前記開口部を覆う姿勢にある前記カバーに、前記スライド部材のスライド方向と交差する方向に突出する凸部が形成されていることを特徴とする。  
上記態様によれば、前記カバーに、前記スライド部材のスライド方向と交差する方向に突出する凸部が形成されているので、当該凸部に指を掛けることによって前記カバー及び前記スライド部材を容易に引き出すことができる。
【００１２】
本発明の第４の態様は、上記第２のまたは第３の態様において、前記カバーが前記開口部を開く方向に回動した際に、前記カバーに形成された回動規制部が前記スライド部材に当接することで前記カバーの回動が停止する様に構成されていることを特徴とする。  
上記態様によれば、前記カバーが前記開口部を開く方向に回動した際に、前記カバーに形成された回動規制部が前記スライド部材に当接することで前記カバーの回動が停止する様構成されていることから、前記カバーと前記電子機器本体とが直接当接せず、従って擦れ傷等の発生を防止することができる。
【００１３】
本発明の第５の態様は、上記第４の態様において、前記回動規制部が、上記第３の態様に記載された前記凸部であることを特徴とする。  
上記態様によれば、前記凸部が前記回動規制部を兼ねているので、低コスト化に資すことができる。
【００１４】
本発明の第６の態様は、上記第３から第５の態様のいずれかにおいて、前記凸部と前記スライド部材の、前記スライド部材のスライド方向と直交する方向における位置関係が、略一致する様に配置されていることを特徴とする。  
上記態様によれば、前記凸部と前記スライド部材の、前記スライド部材のスライド方向と直交する方向における位置関係が、略一致する様に配置されているので、前記凸部に指を掛けて前記スライド部材をスライドさせる際に、前記スライド部材の中央に力が掛かり、これによって前記スライド部材をスライド方向に真っ直ぐに引き出すことができる。
【００１５】
本発明の第７の態様は、記憶媒体を差し込む開口部と、当該開口部を覆うカバーとを有する、被記録媒体に記録を行う記録装置であって、前記カバーが、上記第１から第６の態様のいずれかに記載された前記カバー取付装置によって取り付けられていることを特徴とする。  
上記態様によれば、被記録媒体に記録を行う記録装置において、上述した第１から第５の態様のいずれかと同様な作用効果を得ることができる。
【００１６】
本発明の第８の態様は、記憶媒体を差し込む開口部と、当該開口部を覆うカバーと、を有する、被噴射媒体に液体噴射を行う液体噴射装置であって、前記開口部近傍においてスライド可能に設けられるスライド部材を有し、前記カバーが前記スライド部材に回動軸を介して回動自在に取り付けられるとともに、前記スライド部材のスライド動作に伴って、前記カバーが前記回動軸とともに前記電子機器本体に対して近接離間動作する様に構成されていることを特徴とする。
【発明を実施するための最良の形態】
【００１７】
以下、図１乃至図６を参照しながら本発明の実施の形態について説明する。ここで、図１は本発明に係る「記録装置」、「液体噴射装置」の一例としてのインクジェットプリンタ（以下「プリンタ」と言う）１の外観斜視図、図２は外観を構成するハウジング部材を分解した状態を示す分解斜視図、図３はカードスロット１４の斜視図、図４−１乃至図４−３はカバー２１を開く際の動作推移図、図５はカバーＡｓｓｙ２０の分解斜視図、図６はカバーＡｓｓｙ２０の斜視図である。
【００１８】
先ず、図１乃至図３を参照しながらプリンタ１の構成について概説する。プリンタ１は、「被記録媒体」、「被噴射媒体」の一例としての、比較的サイズの小さいハガキ、Ｌ判サイズ等の記録用紙への記録に適した小型サイズに構成されたものである。  
このプリンタ１はＡ４サイズの記録に好適であるインクジェットプリンタと同様に、装置後部に記録用紙を傾斜姿勢で複数枚セット可能な給送装置（ＡＳＦ）２を、装置中程に主走査方向に往復動可能に設けられる、記録ヘッド（図示せず）を備えたキャリッジ（図示せず）を、装置前部には記録の行われた記録用紙をスタックするスタッカ１３を備えている。スタッカ１３は、非使用時には図示する様に略垂直に立設された収納状態となり、使用時には、プリンタ前方側に開いて記録用紙をスタック可能な使用状態となる（図示せず）。
【００１９】
装置上面中央には電源ボタン、印刷設定ボタン等によって構成された操作部５と、印刷設定内容や現在の動作ステータス等を表示する表示部４が配置され、プリンタ前面において右側上部には、画像データ等が記憶された半導体メモリ媒体（メモリカード）を装着可能な「開口部」としてのカードスロット１４（図３参照）が設けられるとともに、これを覆う開閉自在なカバー２１が設けられている。即ち、プリンタ１は、外部のホスト・コンピュータと接続して印刷データを受信するのみならず、画像データを記憶したメモリカードから直接画像データを読み込み、そして印刷用のデータを生成して自ら印刷実行可能に構成されている。
【００２０】
次に、プリンタ１の外観を構成するハウジングは、図２に示す様に複数の部材によって構成される。装置本体底部は下部ハウジング８によって構成され、装置本体上部は上部ハウジング７によって構成される。そして下部ハウジング８と上部ハウジング７とで構成された装置本体に、キャップ形状を成す右ハウジング９と左ハウジング１１とが左右からキャップする様に装着され、そして両側面に右化粧板１０と左化粧板１２とが嵌め込まれる。また、下部ハウジング８においてプリンタ前面側には上記スタッカ１３が回動自在に設けられる。更に、右ハウジング９と左ハウジング１１とにはハンドル６が回動自在に取り付けられ、これによって持ち運びの際にハンドル６を把持することでプリンタ１を容易に運搬することが可能となる。尚、下部ハウジング８と上部ハウジング７とによって上下に分割される装置本体をこの様にハンドル６によって支持する場合でも、右ハウジング９と左ハウジング１１とで左右からキャップする様な構成であることから、装置本体が上下に分割される様なこともなく、運搬の際の安全性（即ちハウジングの機械的強度）が向上している。
【００２１】
続いて、カードスロット１４を覆うカバー２１をプリンタ１に取り付けるカバー取付装置について、主として図４−１乃至図６を参照しながら説明する。図５及び図６に示す様に、カバー２１を含むカバーＡｓｓｙ（カバー取付装置）２０は、スライド部材２２と、シャフト２３と、コイルばね２４とを備え、カバー２１は、プレート形状をなすスライド部材２２に、シャフト２３を介して取り付けられる。より詳しくは、上部ハウジング７においてカードスロット１４近傍（本実施形態では上部）には、スロット７ａが形成され、当該スロット７ａに、スライド部材２２がスライド可能に挿入される。スライド部材２２のスライド方向（即ちスロット７ａの延びる方向）はカードスロット１４に対するメモリカードの着脱方向と並行であり、従ってスライド部材２２は、スライドすることにより、プリンタ１の装置本体（上部ハウジング７、カードスロット１４）に対して近接離間動作を行う。
【００２２】
スライド部材２２には、図６にも示す様にスライド方向に延びる様な腕部（弾性変形部）２２ａ、２２ａが形成されていて、その先端部には、係止突起２２ｂ、２２ｂが形成されている。そして、スライド部材２２がスロット７ａに挿入されると、腕部２２ａ、２２ａが僅かに内側に弾性変形し、そしてやがて係止突起２２ｂ、２２ｂが、スロット７ａの内側両側面に形成された係止用の長溝（図示せず）にスナップフィット式に入り込んで、スライド部材２２が脱落しない状態となるとともにそのスライド範囲が規制される様になっている。
【００２３】
尚、上部ハウジング７には、スライド部材２２のスライド方向に延びる窓穴７ｂ、７ｂが形成されていて、当該窓穴７ｂ、７ｂから工具を差し込むことにより、係止突起２２ｂ、２２ｂと上記長溝との係合を解除して、スロット７ａにスナップフィット式に挿入されたスライド部材２２を抜き取ることができる様になっているので、リサイクル時の作業性が飛躍的に向上する様になっている。
【００２４】
次に、スライド部材２２において、挿入方向に対して反対側には軸受け部２２ｃ、２２ｄが形成されていて、当該軸受け部２２ｃ、２２ｄには、カバー２１の回動軸となるシャフト２３が、スロット７ａのスライド方向と直交する方向に挿入される。一方、カバー２１の側には軸受け部２１ｃ、２１ｃが形成されていて、シャフト２３が軸受け部２２ｃ、２２ｄ、２１ｃ、２１ｃを挿通することにより、カバー２１が、シャフト２３を介してスライド部材２２に回動可能に取り付けられる。  
以上により、スライド部材２２がスロット７ａに挿入されることにより、カバー２１はスライド部材２２のスライド動作に伴って、シャフト２３とともに、上部ハウジング７に対して近接離間動作する。
【００２５】
次に、軸受け部２２ｃ、２２ｄの間にはコイルばね２４が配置され、シャフト２１は当該コイルばね２４をも挿通する。付勢手段としてのコイルばね２４は、カバー２１がカードスロット１４を開く方向に付勢する。一方、上部ハウジング７にはスライド部材２２のスライド方向に延びるレール７ｃが形成されており（図４−２も参照）、これに対してカバー２１の側には、同様にスライド部材２２のスライド方向に延びるレール２１ｂが形成されている。カバー２１の回動動作を規制する規制手段としてのレール７ｃとレール２１ｂとは、スライド部材２２がスロット７ａに挿入される際、レール７ｃの下側にレール２１ｂが位置する関係となるとともに、スライド部材２２が深く押し込まれた状態（収納状態）では、レール７ｃとレール２１ｂとが係合して、コイルばね２４の付勢力に抗してカバー２１の回動動作が規制される様になっている。即ち、カバー２１がカードスロット１４を覆う姿勢が保持される（図４−１に示す状態）。
【００２６】
そして、この状態からスライド部材２２が図４−２に示すように装置手前にスライドすると、レール７ｃとレール２１ｂとの係合状態が解除され、カバー２１はコイルばね２４の付勢力によって自動的にカードスロット１４を開く方向に回動するので、ユーザの操作性が向上する（図４−３の状態）。
【００２７】
尚、カバー２１には、スライド部材２２のスライド方向と交差する方向に突出する凸部２１ａが形成されている。従って、形成されていて、スライド部材２２（カバー２１）を手前に引き出す際には、凸部２１ａに指を掛けることで容易に引き出すことができる様になっている。また、この凸部２１ａは、スライド部材２２のスライド方向と直交する方向において、スライド部材２２の配置位置と略一致する位置に形成されており、これによって凸部２１ａに指を掛けて引き出す際にも、スライド部材２２の中央に力が掛かり、スライド部材２２を真っ直ぐ無理なく引き出すことができる様になっている。
【００２８】
また、上記凸部２１ａは、カバー２１が開く方向に回動すると、その頂部がスライド部材２２に当接することでカバー２１の回動を停止させる機能を果たしている。即ち、凸部２１ａが回動規制部となっていて、従ってこれにより、カバー２１の本体部分と上部ハウジング７とが直接当接せず、接触傷等が発生しないので、美観が維持される様になっている。
【００２９】
続いて、上述の様に構成されたカバーＡｓｓｙ（カバー取付装置）２０の作用効果について説明する。先ず、カードスロット１４近傍においてスライド可能に設けられるスライド部材２２に、カバー２１がシャフト２３を介して回動自在に取り付けられるとともに、スライド部材２２のスライド動作に伴って、カバー２１がシャフト２３とともに上部ハウジング７（プリンタ１の装置本体）に対して近接離間動作するので、カバー２１の回動時には回動軸としてのシャフト２３が上部ハウジング７から離れる為カバー２１の回動範囲を大きくとることができ、メモリーカードの着脱の際にカバー２１が邪魔にならない。また、逆にカバー２１がカードスロット１４を覆う際には、カバー２１を上部ハウジング７に近づけることで、回動軸部分と上部ハウジング７との間の空隙を小さくすることができ、美観を確保することができる。また、カバーＡｓｓｙ２０を予め組み立てた後に、スライド部材２２をスロット７ａに差し込むことでスナップフィット式にワンタッチでプリンタ１の装置本体に装着することができるので、組立の際の作業性が向上するとともに、上部ハウジング７に形成された窓穴７ｂ、７ｂにより、解体作業時にも容易にカバーＡｓｓｙ２０を取り外すことができる。
【００３０】
そして、カバー２１は、シャフト２３との相対移動によるのではなく、広い面を持つスライド部材２２の安定したスライド動作によって上部ハウジング７に対して近接離間動作するので、カバー２１の回動軸線が傾き難く、カバー２１を常に姿勢良く回動させることが可能となる。
【図面の簡単な説明】
【００３１】
【図１】本発明に係るプリンタの外観斜視図。
【図２】本発明に係るプリンタの分解斜視図。
【図３】メモリカードスロットの斜視図。
【図４−１】カバーを開く際の動作推移図。
【図４−２】カバーを開く際の動作推移図。
【図４−３】カバーを開く際の動作推移図。
【図５】カバーＡｓｓｙの分解斜視図。
【図６】カバーＡｓｓｙの斜視図。
【符号の説明】
【００３２】
１  インクジェットプリンタ、２  給送装置、４  表示部、５  操作部、６  ハンドル、７  上部ハウジング、８  下部ハウジング、９  右ハウジング、１０  右化粧板、１１  左ハウジング、１２  左化粧板、１３  スタッカ、１４  カードスロット、２０  カバーＡｓｓｙ、２１  カバー、２１ａ  摘み部、２２  スライド部材、２３  シャフト、２４  付勢ばね
【図１】
2005212207.tif 000003
【図２】
2005212207.tif 000004
【図３】
2005212207.tif 000005
【図４−１】
2005212207.tif 000006
【図４−２】
2005212207.tif 000007
【図４−３】
2005212207.tif 000008
【図５】
2005212207.tif 000009
【図６】
2005212207.tif 000010